(57)【要約】【課題】温水洗浄便器装置において、室温が低い場合であっても、局部に向けて冷水が噴出されることを抑制できるようにする。【解決手段】室温を検知する室温検知部１１を備え、局部を洗浄する前に、加熱送出した洗浄水によって出水路２０内の残留水を排出させる前洗浄機能を実行し、該機能の実行時間は、室温検知部１１の検知した室温に基づいて設定している。【選択図】図１
2015113661.tif 000002
【特許請求の範囲】
【請求項１】
洗浄指令を受けると、洗浄水を加熱送出して出水路から噴出させることによって、局部を洗浄する温水洗浄便器装置において、
室温を検知する室温検知部を備え、
局部を洗浄する前に、加熱送出した洗浄水によって前記出水路内の残留水を排出させる前洗浄機能を実行し、
該機能の実行時間は、前記室温検知部の検知した室温に基づいて設定していることを特徴とする温水洗浄便器装置。
【請求項２】
請求項１において、
人体検知部を更に備え、
前記前洗浄機能は、前記人体検知部が人体を検知したとき、及び前記洗浄指令を受けたときに実行し、
前記洗浄指令を受けたときに実行する前洗浄機能の実行時間は、前記室温検知部の検知した室温と、前記人体検知部が人体を検知したときからの経過時間とに基づいて設定していることを特徴とする温水洗浄便器装置。
【請求項３】
請求項１において、
前記前洗浄機能は、所定時間毎、及び前記洗浄指令を受けたときに実行し、
前記洗浄指令を受けたときに実行する前洗浄機能の実行時間は、前記室温検知部の検知した室温と、前洗浄機能を最後に実行したときからの経過時間とに基づいて設定していることを特徴とする温水洗浄便器装置。
【発明の詳細な説明】
【技術分野】
【０００１】
本発明は、洗浄指令を受けると、洗浄水を加熱送出して出水路から噴出させることによって、局部を洗浄する温水洗浄便器装置の改良に関する。
【背景技術】
【０００２】
前記のような温水洗浄便器装置では、通常、洗浄水を加熱する洗浄水加熱部と、洗浄水が噴出されるノズルとの間に例えばゴム管等からなる出水路が設けられている。そのような構成では、出水路内の残留水は加熱することが困難であることから、洗浄水の噴出開始時に冷水が噴出されることを防止するための対策が必要とされる。そのような対策に関する従来技術の例として、次の特許文献１が挙げられる。その文献には、温水洗浄便器装置において、着座検出スイッチがオンされると出水路の残留水を所定量排出させるとともに、以後所定時間間隔で出水路の残留水を所定量排出させるようにした構成が記載されている。
【先行技術文献】
【特許文献】
【０００３】
【特許文献１】特開平３−９６５３８号公報
【発明の概要】
【発明が解決しようとする課題】
【０００４】
しかしながら特許文献１の構成では、前洗浄として出水路から排出させる残留水は所定量、より詳細には出水路の全量７０ｃｃに対して６７ないし４４ｃｃ程度とされている。そうした場合、特に室温が低いと、前洗浄によって出水路が十分に暖まっておらず、洗浄水が出水路を通っている間に冷やされてしまい、局部に向けて冷水が噴出されてしまうことが考えられる。
【０００５】
本発明はそのような問題の解決し、室温が低い場合であっても、局部に向けて冷水が噴出されることを抑制できる温水洗浄便器装置を提供することを目的とする。
【課題を解決するための手段】
【０００６】
本発明は、洗浄指令を受けると、洗浄水を加熱送出して出水路から噴出させることによって、局部を洗浄する温水洗浄便器装置において、室温を検知する室温検知部を備え、局部を洗浄する前に、加熱送出した洗浄水によって前記出水路内の残留水を排出させる前洗浄機能を実行し、該機能の実行時間は、前記室温検知部の検知した室温に基づいて設定していることを特徴とする。
【０００７】
前記温水洗浄便器装置は、人体検知部を更に備え、前記前洗浄機能は、前記人体検知部が人体を検知したとき、及び前記洗浄指令を受けたときに実行し、前記洗浄指令を受けたときに実行する前洗浄機能の実行時間は、前記室温検知部の検知した室温と、前記人体検知部が人体を検知したときからの経過時間とに基づいて設定してもよい。
【０００８】
あるいは前記前洗浄機能は、所定時間毎、及び前記洗浄指令を受けたときに実行し、前記洗浄指令を受けたときに実行する前洗浄機能の実行時間は、前記室温検知部の検知した室温と、前洗浄機能を最後に実行したときからの経過時間とに基づいて設定してもよい。いることを特徴とする温水洗浄便器装置。
【発明の効果】
【０００９】
本発明では、局部を洗浄する前に、前洗浄機能の実行時間を室温に基づいて前洗浄機能を実行するので、例えば室温が低い場合であっても、前洗浄によって出水路が十分に暖められる。その結果、局部に向けて冷水が噴出されることを抑制できる。
【図面の簡単な説明】
【００１０】
【図１】本発明の実施形態の一例とされる温水洗浄便器装置の要部構成を示すブロック図である。
【図２】前記実施形態の一例とされる温水洗浄便器装置の具体的な構成を示す全体斜視図である。
【図３】前記実施形態の一例とされる温水洗浄便器装置において、洗浄指令の時点からの出水路の温度変化を示すグラフである。
【図４】前洗浄機能の基本手順の一例を示すフローチャートである。
【図５】実施形態の他例とされる温水洗浄便器装置の要部構成を示すブロック図である。
【図６】実施形態の他例とされる温水洗浄便器装置において、人体検知の時点からそれぞれ２分後、４分後、６分後に洗浄指令がなされたときの出水路の温度変化を示すグラフである。
【発明を実施するための形態】
【００１１】
以下、本発明の実施形態の一例とされる温水洗浄便器装置について図面を参照しながら説明する。
図１は、温水洗浄便器装置における本発明に関連する洗浄水加熱部の基本構成を示している。洗浄水加熱部は、室温を検知する室温検知部１１と、湯温設定を受け付ける操作部１２と、入水温センサ１３及び出水温センサ１４が設けられた電気ヒータ１５とを備える。
【００１２】
室温検知部１１は、例えばサーミスタ等で構成され、温水洗浄便器装置の設置場所の室温を検知するものである。
【００１３】
操作部１２は、ダイヤル、スライドスイッチ、選択ボタン、あるいはタッチパネル等が設けられ、それらの操作によって湯温設定や流量設定の操作を受け付けるものである。
【００１４】
電気ヒータ１５は、そこを通過する水道水等を洗浄水として、その洗浄水と熱源との間での熱交換を生じさせる機能を有するものであるが、その流路構成や熱源の種別等に特段の制限はない。入水温センサ１３、出水温センサ１４は例えばサーミスタ等で構成され、それぞれ電気ヒータ１５の入水口、出水口に設けられている。電気ヒータ１５の入水口の上流側には流量センサ１６が設けられている（図示なし）。
【００１５】
電源部１７は、商用電源を受けて電気ヒータ１５に交流又は直流電源を供給する。電源部１７から電気ヒータ１５への給電路には、電源を接続、遮断制御するスイッチ素子１８が設けられている。スイッチ素子１８の種別は特に制限されず、例えばサイリスタ、バイポーラトランジスタ、電界効果トランジスタ等で構成できる。
【００１６】
制御部１９は、マイコン等の演算素子と、スイッチ素子１８を制御する出力回路等からなり、入水温に対するフィードフォワード制御等に基づいて電気ヒータ１５を通電制御する。
【００１７】
洗浄水は、図示しないポンプ等よって予圧されており、その流量は、流量センサ１６よりも上流側に配置された電磁バルブ等（図示なし）によって可変制御される。
【００１８】
電気ヒータ１５の下流側にはゴムあるいはシリコン等で形成された排水管等からなる出水路２０が接続されている。温水洗浄便器装置は、電気ヒータ１５から洗浄水を加熱送出して出水路２０から噴出させることによって、使用者の局部を洗浄する。出水路２０に設けられた水路切換弁２１は例えば電磁弁で構成され、制御部１９から制御信号を受けて、出水路２０の終端として洗浄水を噴出するノズル２２、洗浄水を排水する排水孔２３のいずれかを選択する。
【００１９】
図２は、温水洗浄便器装置の具体的な構成を示している。温水便器装置は、洋式であって、便を受けるボウル部１ａが形成された便器本体１と、便器本体１に対して開閉可能な便座部２、蓋部３とで構成されている。操作部１２は装置とは別体のリモコン式で壁面に設置され、温水洗浄便器装置と有線又は無線で情報通信を行うようになっている。
【００２０】
便器本体１は、樹脂や磁器等で形成されたボウル部１ａと、そのボウル部１ａを支持する樹脂構造部１ｂとからなり、樹脂構造部１ｂの内部に、前記洗浄水加熱部、排水機構（図示なし）、注水機構（図示なし）等が収容されている。便器本体１の側面部には、室温検知部１１等が設けられ、背面部からは、商用電源コンセントに接続される電源プラグ１ｃと、止水栓４に接続される耐圧ホース１ｄとが導出されている。
【００２１】
ボウル部１ａの底部には、排水口１ｅが形成されており、その排水口１ｅは、汚水を排水制御する排水機構（図示なし）に接続されている。またボウル部１ａの上面開口にはその縁に沿って複数の注水口（図示なし）が形成されており、それらの注水口は、水道水を注水制御する注水機構（図示なし）に接続されている。更に、ボウル部１ａの上面開口の後部側には、局部を洗浄するための洗浄水を噴出するノズル２２と、洗浄後の局部を乾燥させるための温風を吹きだす温風吹出口１ｆが設けられている。
【００２２】
ノズル２２は先端上面に噴出孔が形成された筒状物であって、その基部が変位機構（図示なし）に連結されており、通常時は後方に待機し、使用時のみ前進してボウル部１ａの内側に突出するようになっている。
【００２３】
なお、水路切換弁２１によって出水路２０の終端としてノズル２２、排水孔２３のいずれかを選択する旨前記しているが、排水孔２３はノズル２２の下面に形成されていてもよく、ノズル２２とは独立して設けられていてもよい（図示なし）。あるいはノズル２２の機能をポジションによって洗浄水の噴出又は排水に切り換えるようにしてもよい。すなわちノズル２２が前進位置にある場合は、ノズル２２から噴出された洗浄水はそのまま局部に向かうが、ノズル２２が後退位置にある場合は、ノズル２２から噴出された洗浄水は、便器本体１のノズル格納部１ｇの壁面によって受け止められて所定の経路でボウル部１ａに排水される。このとき水路切換弁２１と同様機能がノズル２２の変位機構によって実行されることになる。
【００２４】
便座部２は樹脂等からなり、中央が開口された略楕円板状に形成され、その後部が便器本体１に対して開閉可能に軸固定され、保温のための熱源（図示なし）が埋設されている。更に便座部２には、圧電素子等からなる人体検知部２４を埋設して、人体を検知している間、便座部２の保温を行うようにしてもよい。
【００２５】
蓋部３は樹脂等からなり、便座部２に対応した形状とされ、その後部が便器本体１に対して開閉可能に軸固定されている。便座部２及び蓋部３の開閉は手動式であっても電動式であってもよい。
【００２６】
ここで温水洗浄便器装置の利用形態を簡単に説明する。通常ボウル部１ａには水道水が溜められており、その状態で用便がなされる。そして用便後に操作部１２で洗浄指令がなされると、洗浄水加熱部の作動によって加熱送出された洗浄水がノズル２２から局部に向けて噴出される。更に操作部１２で温風指令がなされると、温風吹出口１ｆから局部に向けて温風が送られて局部を乾かすこともできる。その後操作部１２で排水指令がなされると、排水機構が作動してボウル部１ａに溜まっている汚水が排水口１ｅから排出されるとともに、注水機構も作動してボウル部１ａに水道水が注水されて洗浄される。汚水の排出が完了したあともしばらく水道水の注水は継続され、これによって水道水がボウル部１ａに再び溜められる。
【００２７】
従来、前記のような温水式便器装置では、噴出開始直後に冷たい洗浄水が噴出して使用者に不快感を与えないよう、洗浄水を噴出させる前に、出水路２０内の残留水を加熱した洗浄水によって押し流して排水するいわゆる前洗浄機能を備えたものが提案されていた。しかしながら特に室温が低いときには、それだけでは出水路２０が十分に暖まらず、電気ヒータ１５から加熱送出された洗浄水が出水路２０を通過している間に冷まされてしまうという問題がある。
【００２８】
本発明はそのような問題を解決することを意図したものである。すなわち、室温が低いときに洗浄水が冷たくなるのは、主として、出水路２０が冷たいままであることによるから、室温を参照して、出水路２０を温めるのに必要な前洗浄機能の実行時間（以下前洗浄時間と呼ぶ）を調節して前洗浄機能を実行することを趣旨とする。
【００２９】
温水洗浄便器装置は、そのための構成要素として、室温を検知する室温検知部１１を備えており、前洗浄時間は、前記室温検知部の検知した室温に基づいて設定する。基本的には、前洗浄時間は室温が低ければ長くするが、室温が一定レベル以上であれば前洗浄時間は一定とし、室温がそれよりも低い場合は、室温が低いほど前洗浄時間が長くなるようにしてよい。要は、室温が低いときに十分な洗浄時間が設定できればよい。
【００３０】
以下、そのような前洗浄時間の設定について、室温が低いほど長くなるように設定する例を一例として説明する。
【００３１】
図３のグラフは、洗浄指令を受けて電気ヒータが洗浄水を加熱送出し始めてからの出水路の温度（排水される分と噴出される分とを含む）の時間変化を、室温２５℃、１５℃、５℃の場合のそれぞれについて示したものである。
【００３２】
ここに電気ヒータは瞬間タイプとされており、入水温や室温によらず、そこから送出される洗浄水の温度は、電気ヒータの作動開始からごく短時間で湯温設定値に達する。湯温設定値は一例として４０℃とし、図中では、送出された洗浄水の温度変化を点線で示している。
【００３３】
出水路は、洗浄指令の時点では室温であるが、加熱された洗浄水との熱交換によって加熱されていき、最終的には洗浄水と同温度に達する。出水路が昇温される勾配は、出水路の熱容量や熱伝導度によって定まる。
【００３４】
基本的な考え方として、洗浄水の温度と流量が既知であれば、冷却水との熱交換によって加熱される出水路の温度変化は、出水路の初期温度及び経過時間からほとんど誤差なく求めることができる。よって、本発明では、室温の各々に対する前洗浄時間を、電気ヒータから送出された洗浄水が所定温度に到達した時点を起点として、出水路の温度が目標温度に到達するまでの必要時間として規定する。ここでは一例として、洗浄水のその所定温度は３５℃、出水路の目標温度は３０℃としているが、これに限定されるわけではない。なお前洗浄時間が経過すれば、出水路の終端としてノズルが自動的に切換選択されて、局部の洗浄が開始される。
【００３５】
図中では、室温５℃に対する前洗浄時間をｔ５、室温１５℃に対する前洗浄時間をｔ１５、室温２５℃に対する前洗浄間をｔ２５によって示している。前洗浄時間ｔ５、ｔ１５、ｔ２５は、電気ヒータの送出する洗浄水の温度が３５℃を超えた時点からの経過時間として規定されており、出水路の温度が３０℃以上となる値が予め特定されている。当然であるが、室温が低いほど出水路の温度が上昇するのに時間がかかるため、ｔ５＞ｔ１５＞ｔ２５という大小関係となる。
【００３６】
具体的な制御としては、これらの室温と前洗浄時間との組合わせをマトリックスとして制御部に予め用意しておくとよい。例えば、室温が１０℃未満であれば前洗浄時間としてｔ５を選択し、室温が１０℃以上２０℃未満であれば前洗浄時間としてｔ１５を選択し、室温が２０℃以上であれば前洗浄時間としてｔ２５を選択すればよい。このような室温と前洗浄時間との組合せ数は特に制限されず、その組合せ数を多くすれば、それだけ精密な制御が可能になる。あるいは室温と前洗浄時間との関数を規定して、その関数によって前洗浄時間を算出するようにしてもよい。
【００３７】
なお前洗浄機能の実行中は、出水路の終端として排水孔が選択されており、前洗浄時間が経過した時点で、出水路の終端がノズルに切り換えられる。その後のノズルからの洗浄水の噴出は洗浄指令を受けている間継続される。
【００３８】
図４のフローチャートは、温水洗浄便器装置における前洗浄機能の基本的な処理手順の一例を示している。
【００３９】
ステップ１００は洗浄指令を受け付ける処理である。この処理は洗浄指令を受け付けるまで繰り返し実行される。ステップ１０１は、出水路の終端として排水孔を選択する処理である。ステップ１０２は洗浄水の加熱送出を開始する処理である。
【００４０】
ステップ１０３は洗浄水の温度を判別する処理である。この処理は洗浄水の温度が３５℃になるまで繰り返される。ステップ１０４は室温を検知する処理である。ここで室温が１０℃未満であれば、ステップ１０５によって前洗浄時間としてｔ５が選択される。一方ここで室温が１０℃以上２０℃未満であれば、ステップ１０６によって前洗浄時間としてｔ１５が選択され、室温が２０℃以上であれば、ステップ１０７によって前洗浄時間としてｔ２５が選択される。
【００４１】
ステップ１０８は、前洗浄時間の計時を開始する処理であり、ステップ１０９は、前洗浄時間が経過したか否かを判断する処理である。洗浄時間が経過するまでこのステップが繰り返されるが、その期間中、加熱送出された洗浄水によって出水路内の残留水が排水孔２３から排水され続ける。そして全ての残留水が排水された後は、洗浄水が排水孔から排水されるようになる。これによって出水路が温められる。
【００４２】
ステップ１１０は、前洗浄時間が経過したため、出水路の終端としてノズルを選択する処理である。この処理によって前洗浄機能が終了し、ノズルから洗浄水が噴出され始めて局部の洗浄が開始される。
【００４３】
本発明では、局部を洗浄する前に、前洗浄機能の実行時間を室温が低いほど長くなるように設定して前洗浄機能を実行するので、室温が低い場合であっても、前洗浄によって出水路が十分に暖められる。その結果、局部に向けて冷水が噴出されるおそれがなくなる。
【００４４】
以上のように本実施形態では、局部を洗浄する前に、前洗浄機能の実行時間を室温が低いほど長くなるように設定して前洗浄機能を実行するので、室温が低い場合であっても、前洗浄によって出水路が十分に暖められる。その結果、局部に向けて冷水が噴出されるおそれがなくなる。
【００４５】
次いで実施形態の変形例を説明する。すなわち変形例として、温水洗浄便器装置は便座部への着座を検知すると、洗浄指令を受けなくても前洗浄機能を自動的に実行し、その後洗浄指令を受けたときに、前洗浄機能を再実行してから局部を洗浄する構成としてもよい。
【００４６】
すなわち温水洗浄便器装置は、人体検知部２４が人体を検知したときに、前洗浄機能を自動的に実行する。このときの前洗浄時間は、室温検知部１１の検知した室温に基づいて選択するとよい。更に温水洗浄便器装置は、洗浄指令を受けたときにも前洗浄機能を実行する。このときの前洗浄間は、室温検知部１１の検知した室温と、人体検知部２４が人体を検知したときからの経過時間とに基づいて選択するとよい。この場合、前洗浄時間は室温と経過時間とのマトリックスとして制御部１９に予め用意しておくとよい。
【００４７】
図５はそのような温水洗浄便器装置における本発明に関連する洗浄水加熱部の基本構成を示している。図１のものに相違する点は、人の着座を検知する人体検知部２４を備える点である。他の構成要素は図１のものに基本的に共通しているので、同一参照符号を付けて説明を省略する。
【００４８】
人体検知部２４の構成は特に制限されない。例えば便座部２に埋設した圧電素子等が使用者の着座を検知する構成としてもよいし（図２参照）、あるいは適所に設けた赤外線センサ等が使用者の入室あるいは着座を検知する構成としてもよい。
【００４９】
この変形例は、人体を検知したときに、前洗浄機能を一度実行することによって、洗浄指令を受けるよりも前に出水路を予め温めておくことを趣旨としたものである。これによって洗浄指令を受けた後での前洗浄時間を短縮して局部の洗浄をより早く開始することができる。
【００５０】
図６のグラフは、人体検知の時点からそれぞれ２分後、４分後、６分後に洗浄指令がなされたときの出水路の温度変化を、室温２５℃、１５℃、５℃の場合のそれぞれについて示したものである。湯温設定値は一例として４０℃とし、図中では、洗浄水（電気ヒータの出水口）の温度変化を点線で示している。また洗浄指令がなされないまま時間経過した場合の出水路の温度変化を実線、洗浄指令を受けた場合の出水路の温度変化を点線、破線又は鎖線で示している。
【００５１】
０ｍｉｎで人体検知されて、前洗浄機能のために洗浄水の加熱送出が始まり、出水路の温度が室温から上昇し始める。このときの前洗浄時間は、室温が１０℃未満であればｔ５−２を選択し、室温が１０℃以上２０℃未満であればｔ５−２、室温が２０℃以上であればｔ５−２５を選択する。前洗浄時間ｔ５−２、ｔ１５−２、ｔ２５−２は、電気ヒータの送出する洗浄水の温度が３５℃を超えた時点からの経過時間として規定されており、各室温において、人体検知から２ｍｉｎのときに、出水路の温度が３０℃以上となる値が予め特定されている。
【００５２】
人体検知に対する前洗浄時間としてそのような値を選択しておけば、人体検知から２ｍｉｎまでに洗浄指令を受けた場合、出水路の温度は３０℃以上のはずであるから、前洗浄機能を実行せずに直ちに局部の洗浄を開始しても何ら問題ない。
【００５３】
図中では２ｍｉｎに洗浄指令を受けた場合に、前洗浄機能を実行せずに局部の洗浄を開始している様子を例示している。なお人体検知によって前洗浄機能を実行している間に洗浄指令を受けた場合は、その前洗浄機能が完了してから局部の洗浄を開始すればよい。
【００５４】
一方、人体検知によって前洗浄機能を実行してから洗浄指令を受けないまま時間経過すると、出水路の温度は実線に示しているように徐々に下がっていく。
【００５５】
そして仮に４ｍｉｎに洗浄指令を受けたとすれば、出水路の温度は、図中で一点鎖線で示すように上昇していくことになる。ここで室温５℃、１５℃、２５℃の場合のそれぞれについて、出水路を３０℃まで温めるのに必要な前洗浄間は、それぞれｔ５−４、ｔ１５−４、ｔ２５−４となる。よって２ｍｉｎから４ｍｉｎまでの間に洗浄指令を受けた場合、洗浄時間は、室温が１０℃未満であればｔ５−４を選択し、室温が１０℃以上２０℃未満であればｔ１５−４を選択し、室温が２０℃以上であればｔ１５−４を選択すればよい。そうすれば前洗浄機能の実行後に出水路の温度は概ね３０度以上とすることができる。
【００５６】
ここに出水路の温度は６ｍｉｎで室温まで下がると想定している。そして６ｍｉｎに洗浄指令を受けたとすれば、出水路の温度は、図中で二点鎖線で示すように上昇していくことになる。室温２５℃、１５℃、５℃の場合のそれぞれについて、出水路を３０℃まで温めるのに必要な前洗浄間は、それぞれｔ５−６、ｔ１５−６、ｔ２５−６である。このとき出水路の温度は室温でありそれ以上下がることはない。よって４ｍｉｎ以降に洗浄指令を受けたとき、洗浄時間は、室温が１０℃未満であればｔ５−６を選択し、室温が１０℃以上２０℃未満であればｔ１５−６を選択し、室温が２０℃以上であればｔ２５−６を選択すればよい。そうすれば前洗浄機能の実行後に出水路の温度は概ね３０度以上とすることができる。
【００５７】
図からわかるように、室温が１０℃未満の場合、前洗浄時間は人体検知からの経過時間について、次の大小関係を有する。
人体検知から２ｍｉｎまでに洗浄指令を受けたときの前洗浄時間（０）＜２ｍｉｎから４ｍｉｎまでに洗浄指令を受けたときの前洗浄時間（ｔ５−４）＜４ｍｉｎ以降に洗浄指令を受けたときの前洗浄時間（ｔ５−６）、という関係である。
【００５８】
室温が１０℃以上２０℃未満の場合、室温が２０℃以上の場合も同様である。つまり人体検知（それによる前洗浄機能の実行）からの経過時間が短いほど、その後洗浄指令を受けたときの前洗浄時間を短くできる。これにより局部の洗浄がすぐに開始されないことによる使用者のイライラ感が低減できる。
【００５９】
なお図６に示した例では、人体検知からの経過時間を、２ｍｉｎ未満、２ｍｉｎ以上４ｍｉｎ未満、４ｍｉｎ以上の３つに区切っているが、区切り方はこれに限定されず、より細かく区切れば、より精密に無駄なく前洗浄時間を短縮することができる。
【００６０】
また更なる変形例として、図１に示す基本構成とし、制御部１９による制御方法を異ならせてもよい。具体的には、温水洗浄便器装置は、洗浄指令を受けるまでの間定期的に前洗浄を実行する。このときの前洗浄時間は、室温検知部１１の検知した室温に基づいて選択するとよい。更に温水洗浄便器装置は、洗浄指令を受けたときにも、前洗浄機能を実行する。このときの前洗浄間は、室温検知部１１の検知した室温と、前洗浄機能を最後に実行したときからの経過時間とに基づいて選択するとよい。定期的に実行される前洗浄機能の初回は、電源オンのタイミングで実行してもよいし、あるいは人体検知部２４を設けて、人体検知したタイミングで実行してもよい。いずれの場合も、洗浄指令を受けなければ所定時間毎に前洗浄機能を自動的に実行する。
【００６１】
動作態様の例としては、例えば図６において、人体検知により０ｍｉｎに前洗浄機能を実行し、それ以降、洗浄指令を受けなければ４ｍｉｎ毎に前洗浄機能を実行するというような態様になる。
【００６２】
このような変形例とすれば、使用時間の長短に関わらず、洗浄指令を受けたときの前洗浄時間を平均して短くできる。この効果は、寒冷地等、出水路の温度が低下しやすい環境において特に顕著に発揮される。
【符号の説明】
【００６３】
１１      室温検知部
１９      制御部
２０      出水路
２４      人体検知部
【図１】
2015113661.tif 000003
【図２】
2015113661.tif 000004
【図３】
2015113661.tif 000005
【図４】
2015113661.tif 000006
【図５】
2015113661.tif 000007
【図６】
2015113661.tif 000008